(57)【要約】【課題】記録中のマーク部とスペース部のパワーを検出する際に、スペース部の検出においてはマーク部の信号に対して異なる増幅率の信号で検出することにより、検出感度の向上と制御精度の改善を図る。【解決手段】本発明は、記録中に記録パワーのピーク部に必要な検出信号を出力するための増幅器と記録中に記録パワーのスペース部に必要な検出信号を出力するための増幅器を備えることをもっとも主要な特徴とする。【選択図】図１
2005302227.tif 000002
【特許請求の範囲】
【請求項１】
光記録媒体に読み書きするためのレーザの出射光の一部を受光し、出射光に比例して検出電流を出力するフォトダイオード素子と、
前記フォトダイオード素子から出力される検出電流を検出電圧に変換する電流電圧変換回路と、
前記電流電圧変換回路から出力される検出電圧を、記録発光時のピークパワーの出射光の範囲を増幅して第１の検出信号を出力する第１の増幅器と、
前記電流電圧変換回路から出力される検出電圧を記録発光時のボトムパワーの出射光範囲を増幅して第２の検出信号を出力する第２の増幅器と、
記録と再生のタイミングを生成し、光記録媒体に書き込むための光を記録ストラテジに変調する変調信号を出力し、かつ記録波形出力のあるタイミングで第１の検出信号と第２の検出信号のそれぞれの信号を保持するための第１のタイミング信号と第２のタイミング信号を出力する記録データ生成手段と、
前記記録データ生成手段から出力される第１のタイミング信号のタイミングで第１の検出信号を取り込んだ信号を第３の検出信号として出力する第１のサンプルホールド回路と、
前記記録データ生成手段から出力される第２のタイミング信号のタイミングで第２の検出信号を取り込んだ信号を第３の検出信号として出力する第２のサンプルホールド回路と、
前記第１のサンプルホールド回路から出力される第３の検出信号と、前記第２のサンプルホールド回路から出力される第４の検出信号をデジタルデータとして取り込むＡＤ変換回路と、
前記ＡＤ変換回路から出力されるデジタルデータから記録ストラテジの出射光に応じたレーザに出力する各電流を出力するための演算を実施し、レーザに出力するための各電流情報を出力するデジタル制御手段と、
前記デジタル制御手段から出力される各電流情報からレーザに出力する電流と、記録データ生成手段から出力される記録ストラテジに応じた制御信号からレーザに電流出力行うレーザドライバとを備え、
データを記録するために必要な記録波形のボトムパワー部の検出信号の感度を拡大し、制御精度を上げることを特徴とするレーザ制御装置。
【請求項２】
前記電流電圧変換回路から出力される検出電圧のある一定電圧以上の出力を制限してクリップ検出信号を出力するクリップ回路をされに設け、前記第２の増幅器がクリップ検出信号を記録発光時のボトムパワーの出射光範囲を増幅して第２の検出信号を出力することにより、クリップ回路によりボトムパワー取り込み区間を確保することを特徴とする請求項１記載のレーザ制御装置。
【請求項３】
光記録媒体に読み書きするためのレーザの出射光の一部を受光し、出射光に比例して検出電流を出力するフォトダイオード素子と、
前記フォトダイオード素子から出力される検出電流を検出電圧に変換する電流電圧変換回路と、
前記電流電圧変換回路から出力される検出電圧を、記録発光時のピークパワーの出射光の範囲を増幅して第１の検出信号を出力する第１の増幅器と、
前記光電変換回路から出力される検出電圧のある一定電圧以上の出力を制限してクリップ検出信号を出力するクリップ回路と、
前記クリップ検出信号を記録発光時のボトムパワーの出射光範囲を増幅して第２の検出信号を出力する第２の増幅器と、
第１の検出信号と第２の検出信号のどちらかの検出信号を切り替え信号によって切り替えて出力するスイッチと、
記録と再生のタイミングを生成し、光記録媒体に書き込むための光を記録ストラテジに変調する変調信号を出力し、かつ記録波形出力のあるタイミングで第１の検出信号と第２の検出信号のそれぞれの信号を保持するための第１のタイミング信号と第２のタイミング信号を切り替え信号によりどちらかのタイミング信号を出力する第２の記録データ生成手段と、
前記記録データ生成手段から出力される第１のタイミング信号あるいは、第２のタイミング信号で取り込んだ信号を第４の検出信号として出力する第３のサンプルホールド回路と、
前記第３のサンプルホールド回路から出力される第４の検出信号をデジタルデータとして取り込む第２のＡＤ変換回路と、
前記第２のＡＤ変換回路から出力されるデジタルデータから記録ストラテジの出射光に応じたレーザに出力する各電流を出力するための演算を実施し、レーザに出力するための各電流情報を出力しかつ、切り替え信号を前記スイッチと前記記録データ生成手段に出力するデジタル制御手段と、
前記デジタル制御手段から出力される各電流情報からレーザに出力する電流と、記録データ生成手段から出力される記録ストラテジに応じた制御信号からレーザに電流出力行うレーザドライバとを備え、
データを記録するために必要な記録波形のボトムパワー部の検出信号の感度を拡大し、かつ前記クリップ回路によりボトムパワー取り込み区間を確保し、制御精度を上げた検出信号と記録波形のピークパワー部の検出信号を切り替え信号により時分割で取り込んで制御することを特徴とするレーザ制御装置。
【請求項４】
第１の増幅器と第２の増幅器の間は少なくとも２倍の増幅率の差があることを特徴とする請求項２および３記載のレーザ制御装置。
【発明の詳細な説明】
【技術分野】
【０００１】
本発明は、光記録媒体にデータを読み書きするために必要なレーザパワー制御装置に関するものである。
【背景技術】
【０００２】
ＣＤ−Ｒ、ＤＶＤ−Ｒ、ＤＶＤ＋Ｒのような光記録媒体への情報を記録および再生する装置で記録する際に必要な記録ストラテジの種類、記録パワーの範囲は、メディアの種類や、書き込みスピードに応じて存在する。そのため、レーザパワーを制御する際にレーザパワーを検出するために必要な信号の振幅量を増やすこと、そして検出する信号帯域を伸ばす必要がある。
【０００３】
そこで、図６に示すように光ピックアップ１０４において、フォトディテクタ５を構成する電流一電圧変換回路の光電変換ゲインを記録時の記録速度または再生動作及び再生時における光記録媒体の種類（例えばＣＤ−Ｒ，ＣＤ−ＲＷ）に適応した値にゲイン設定手段で選択的に設定する構成がある（たとえば特許文献１参照）。
【０００４】
しかし、記録マークを形成される際に必要な記録パワーは、ピークパワーのほかスペースパワーも必要であるが、スペースパワーのパワー精度は、ピークパワーの検出範囲をサポートするためにゲインに応じて変化してしまう。
【０００５】
高密度かつ高倍速のメディアでは、ピークパワーに必要なパワーは増加する一方で、スペースパワーに必要なパワーは非常に低いパワーになっており、パワーの乖離が激しくなっている。そしてディスクの記録感度が上昇しているため、記録マークを消してしまう恐れがあるためスペースパワーの精度はマーク形成に大きく依存するようになっている。また、フォーカス・トラッキング制御にスペース部のパワーを使用することも多く、記録マークを形成するためのレーザから出力されディスク上に集光するスポット径がデフォーカスを引き起こし、マークが歪んで記録される可能性が発生するため、記録時と再生時のみのゲイン切替では記録中のスペース部のパワー精度が確保できない欠点が存在する。
【特許文献１】特開平１１−１７６０７３号公報
【発明の開示】
【発明が解決しようとする課題】
【０００６】
解決しようとする問題点は、ＤＶＤ−Ｒなどの高密度でかつ高倍速で記録するライトワンス系メディアは、記録感度を上げる傾向にあり、記録マークの形成には、ピークパワーだけでなくスペースパワーに依存する傾向にあることがわかっており、また、フォーカス、トラッキング制御にスペースパワーを利用するなどピークパワーだけでなくスペース部のパワーの精度を確保する必要があることである。
【課題を解決するための手段】
【０００７】
本発明は、記録中に記録パワーのピーク部に必要な検出信号を出力するための増幅器と記録中に記録パワーのスペース部に必要な検出信号を出力するための増幅器を備えることをもっとも主要な特徴とする。
【０００８】
また、スペース部に必要な検出信号を出力するために、クリップ回路をそなえ、増幅後の検出信号の検出区間を確保することをもっとも主要な特徴とする。
【発明の効果】
【０００９】
本発明のレーザパワー制御装置は、記録中に記録パワーのスペース部に必要な検出信号を出力するための増幅器を備えることにより、記録パワーのスペース部の制御においては、記録パワーのスペース部の検出感度を上げることにより、高精度の制御を実現できるという利点がある。
【発明を実施するための最良の形態】
【００１０】
本発明の請求項１に記載の発明は、光記録媒体に読み書きするためのレーザの出射光の一部を受光し、出射光に比例して検出電流を出力するフォトダイオード素子と、前記フォトダイオード素子から出力される検出電流を検出電圧に変換する電流電圧変換回路と、前記電流電圧変換回路から出力される検出電圧を、記録発光時のピークパワーの出射光の範囲を増幅して第１の検出信号を出力する第１の増幅器と、前記電流電圧変換回路から出力される検出電圧を記録発光時のボトムパワーの出射光範囲を増幅して第２の検出信号を出力する第２の増幅器と、記録と再生のタイミングを生成し、光記録媒体に書き込むための光を記録ストラテジに変調する変調信号を出力し、かつ記録波形出力のあるタイミングで第１の検出信号と第２の検出信号のそれぞれの信号を保持するための第１のタイミング信号と第２のタイミング信号を出力する記録データ生成手段と、前記記録データ生成手段から出力される第１のタイミング信号のタイミングで第１の検出信号を取り込んだ信号を第３の検出信号として出力する第１のサンプルホールド回路と、前記記録データ生成手段から出力される第２のタイミング信号のタイミングで第２の検出信号を取り込んだ信号を第３の検出信号として出力する第２のサンプルホールド回路と、前記第１のサンプルホールド回路から出力される第３の検出信号と、前記第２のサンプルホールド回路から出力される第４の検出信号をデジタルデータとして取り込むＡＤ変換回路と、前記ＡＤ変換回路から出力されるデジタルデータから記録ストラテジの出射光に応じたレーザに出力する各電流を出力するための演算を実施し、レーザに出力するための各電流情報を出力するデジタル制御手段と、前記デジタル制御手段から出力される各電流情報からレーザに出力する電流と、記録データ生成手段から出力される記録ストラテジに応じた制御信号からレーザに電流出力行うレーザドライバとを備え、データを記録するために必要な記録波形のボトムパワー部の検出信号の感度を拡大し、制御精度を上げることを特徴とするものであり、これにより、記録時のスペースパワーの制御精度を高める目的のために、記録波形に対してピークパワーに対する増幅器とスペースパワーに対する増幅器に分けることで実現した。
【００１１】
請求項２に記載の発明は、前記電流電圧変換回路から出力される検出電圧のある一定電圧以上の出力を制限してクリップ検出信号を出力するクリップ回路をされに設け、前記第２の増幅器がクリップ検出信号を記録発光時のボトムパワーの出射光範囲を増幅して第２の検出信号を出力することにより、クリップ回路によりボトムパワー取り込み区間を確保するものである。
【００１２】
請求項３に記載の発明は、光記録媒体に読み書きするためのレーザの出射光の一部を受光し、出射光に比例して検出電流を出力するフォトダイオード素子と、前記フォトダイオード素子から出力される検出電流を検出電圧に変換する電流電圧変換回路と、前記電流電圧変換回路から出力される検出電圧を、記録発光時のピークパワーの出射光の範囲を増幅して第１の検出信号を出力する第１の増幅器と、前記光電変換回路から出力される検出電圧のある一定電圧以上の出力を制限してクリップ検出信号を出力するクリップ回路と、前記クリップ検出信号を記録発光時のボトムパワーの出射光範囲を増幅して第２の検出信号を出力する第２の増幅器と、第１の検出信号と第２の検出信号のどちらかの検出信号を切り替え信号によって切り替えて出力するスイッチと、記録と再生のタイミングを生成し、光記録媒体に書き込むための光を記録ストラテジに変調する変調信号を出力し、かつ記録波形出力のあるタイミングで第１の検出信号と第２の検出信号のそれぞれの信号を保持するための第１のタイミング信号と第２のタイミング信号を切り替え信号によりどちらかのタイミング信号を出力する第２の記録データ生成手段と、前記記録データ生成手段から出力される第１のタイミング信号あるいは、第２のタイミング信号で取り込んだ信号を第４の検出信号として出力する第３のサンプルホールド回路と、前記第３のサンプルホールド回路から出力される第４の検出信号をデジタルデータとして取り込む第２のＡＤ変換回路と、前記第２のＡＤ変換回路から出力されるデジタルデータから記録ストラテジの出射光に応じたレーザに出力する各電流を出力するための演算を実施し、レーザに出力するための各電流情報を出力しかつ、切り替え信号を前記スイッチと前記記録データ生成手段に出力するデジタル制御手段と、前記デジタル制御手段から出力される各電流情報からレーザに出力する電流と、記録データ生成手段から出力される記録ストラテジに応じた制御信号からレーザに電流出力行うレーザドライバとを備え、データを記録するために必要な記録波形のボトムパワー部の検出信号の感度を拡大し、かつ前記クリップ回路によりボトムパワー取り込み区間を確保し、制御精度を上げた検出信号と記録波形のピークパワー部の検出信号を切り替え信号により時分割で取り込んで制御するものである。
【００１３】
請求項４に記載の発明は、第１の増幅器と第２の増幅器の間は少なくとも２倍の増幅率の差があるものである。
【００１４】
（実施の形態１）
図１は、本発明装置の実施の形態１を実現するブロック図である。
【００１５】
図において、１は光記録媒体に読み書きするための再生パワーと記録マークを形成するための記録ストラテジに応じて記録パワー出力するレーザで、２はレーザ１から出力されるパワーの一部を受光し、出力されるパワーに比例した検出電流を出力するフォトダイオード素子で、３はフォトダイオード素子２から出力される検出電流を検出電圧に変換する電流電圧換回路であり、４は電流電圧変換回路３から出力される検出電圧を、記録発光時のピークパワーの出力範囲をサポートでき、かつ検出信号を最大になるような増幅設定にして第１の検出信号を出力する第１の増幅器で、５は電流電圧変換回路３から出力される検出電圧のある一定電圧以上の出力を制限してクリップ検出信号を出力するクリップ回路であり、６はクリップ回路５から出力されるクリップ検出信号を記録発光時のスペースパワーの出力範囲をサポートでき、かつ検出信号を最大になるように増幅設定して第２の検出信号として出力する第２の増幅器であり、７は光記録媒体に記録データを書き込むために必要な記録パワーを記録ストラテジに応じて出力するために変調信号を出力し、かつ変調信号出力のあるタイミングで第１の増幅器４から出力される第１の検出信号と第２の検出信号のそれぞれの信号を保持するための第１のタイミング信号と第２のタイミング信号を出力する記録データ生成手段であり、８は記録データ生成手段７から出力される第１のタイミング信号のタイミングで第１の検出信号を取り込み、取り込まれた信号を第３の検出信号として出力する第１のサンプルホールド回路で、記録データ生成手段７から出力される第２のタイミング信号のタイミングで第２の検出信号を取り込み，取り込まれた信号を第４の検出信号として出力する第２のサンプルホールド回路であり、１０は第１のサンプルホールド回路８から出力される第３の検出信号と第２のサンプルホールド回路９から出力される第４の検出信号をデジタルデータに変換するＡＤ変換回路であり、１１はＡＤ変換回路１０から出力されるデジタルデータから記録ストラテジの出力パワーに必要なピークパワー、スペースパワーおよび再生パワーを維持するために、それぞれのパワーに応じたレーザに出力する電流を演算し、レーザに出力するための各電流情報を出力するデジタル信号制御手段であり、
１２はデジタル信号制御手段１２から出力される各電流情報から記録ストラテジに応じたレーザ１に出力する電流と、記録データ生成手段７から出力される記録ストラテジに応じた制御信号と高周波重畳の出力が可能であり、レーザ１に電流出力行うレーザドライバである。
【００１６】
以下さらに詳細な説明を図２，３，４，を使って説明を行う。
【００１７】
図２は、記録に使用されるライトストラテジとレーザと電流の関係を示している。縦軸は、パワー［ｍＷ］横軸は記録ストラテジの図に関しては時間［ｎＳ］、レーザの特性図に関しては電流［ｍＡ］である。記録パワーは、ピークパワー、ミドルパワー、スペースパワーを制御することにより記録マークの形成が可能になっている。
【００１８】
再生時は、レーザドライバ１２からレーザ１に対して高周波重畳電流と電流ＩＲＤを出力し所定の再生パワーに相当する検出信号をＡＤ変換回路１０でデジタルデータに変換し、デジタルデータからデジタル信号制御手段１１により、目標パワーに相当するデータとの差分データからデジタル制御によるフィードバック制御を実施し、所定の再生パワーになるようにレーザドライブ１２に対して再生パワーを制御するための電流情報を出力して、再生パワー制御を実施する。
【００１９】
記録時は、高周波重畳回路をオフし、記録ストラテジのスペースパワーになるように電流Ｉｓｐｃと電流ＩＲＤをフィードバック制御して、スペースパワーを制御する。ミドルパワーおよびピークパワーは、ミドルパワー部分を第１のサンプルホールド回路８により検出し再生制御と同様な制御を実施する。ピークパワーは、図２のレーザの特性図から電流とパワーの関係が比例であることを利用し、線形補間により制御している。
【００２０】
（表１）はＤＶＤ−Ｒなどの高倍速に使用される典型的なパワー例を示す。
【００２１】
【表１】
2005302227.tif 000003
【００２２】
当然のことながら、メディアに使用される組成などは製造メーカにより、異なるため、記録に必要とされるパワーの絶対値は変化する。ピークパワーや、ミドルパワーに対してスペースパワーの差が大きいことが明確である。
【００２３】
実施例で使用した回路構成では、記録時のレーザパワーの検出信号の最大出力電圧は、１０００［ｍＶ］、電流電圧変換３で得られる検出電圧は２５［ｍＶ／ｍＷ］で、ＡＤ変換回路１０は０．８［ｍＶ／ＬＳＢ］の分解能を使用した。したがって、検出電圧とＡＤ変換回路１０との間には２５［ｍＶ／ｍＷ］／０．８［ｍＶ／ＬＳＢ］＝０．０３２［ｍＷ／ＬＳＢ］の関係がある。
【００２４】
記録パワーの設定分解能は、０．１［ｍＷ］程度必要であり、ＡＤの分解能としては０．０５［ｍＷ］以下は必要であることから記録のライトストラテジのピークパワーは、増幅率を１倍とした。スペースパワーの設定分解能は０．１［ｍＷ］程度であるが、要求されるパワー偏差が小さいため、ＡＤ変換回路１０に入るパワーとＡＤ変換回路の分解能は固定であるため、検出感度を上げる必要がある。分解能は、０．０７［ｍＷ］の半分程度しかなく、ＡＤの取り込み時の誤差が発生した場合には、０．０３２［ｍＷ］が０．０６４［ｍＷ］の変動分に換算される可能性がある。すると、制御時には±０．０６［ｍＷ］分の変動が発生する可能性があり、要求される変動を逸脱してくる恐れがある。したがって分解能は、０．０１６［ｍＷ］以下が必要になる。つまり、第２の増幅器の設定としては２倍以上必要である。さらに、記録波形の出力は図２のように各パワーを実現するために、各記録パワー差に等しい電流を重畳していることからわかるように、スペース部のパワーの変動は、ミドルパワーやピークパワーに重畳される。しかも、制御はミドルパワー（ピークパワー）とスペースパワーの両方で実施する必要があるため、スペース部の変動が大きい場合には、記録パワーのミドルパワーへの影響が発生し、最悪発振現象を引き起こす可能性がある。よって検出信号の最大出力電圧から可能な限りあげておき、スペースパワーの変動分がミドルパワー（ピークパワー）への変動の影響として見えないようにする必要がある、よって４倍以上増幅させることが望ましい。また、再生時は、ＲＦ信号を読み取るためにパワー変動成分を抑える必要があり、パワーの設定分解能が０．０１［ｍＷ］程度必要である。そこで、再生系検出器と記録時のスペースの検出系を共用することにより、回路の増加を抑えることができる。ここでは、第２の増幅率を８倍以上必要で再生精度と同等の精度にすれば、精度がさらに良くなるので８倍とした。なお１６倍にしてもよい。さらに検出感度が上がり精度が上がる方向になるからである。
【００２５】
図３は、記録中の各検出信号の波形を示した図である。同図（ａ）は、記録開始時のレーザ１から記録ストラテジに基づいて発光される波形の様子を示し、（ｂ）は（ａ）で示されたレーザ発光波形をフォトダイオード素子２で受けた信号から検出電流を出力し、電流電圧変換回路３で検出電圧に変換され、第１の増幅器４から出力された第１の検出信号波形を示し、（ｃ）は、記録データ生成手段７から出力される第１のタイミング信号を示している。第１のタイミング信号は、記録波形の検出波形がミドルパワー部でサンプルホールド可能なアクイジョン時間のある安定した部分で検出できる記録波形長さに対してのみ出力され、Ｌｏ区間がサンプル状態を示している。（ｄ）は、（ａ）で示されたレーザ発光波形をフォトダイオード素子２で受けた信号から検出電流を出力し、電流電圧変換回路３で検出電圧に変換され、クリップ回路５により検出電圧を一定電圧でクリップしてクリップ検出信号を出力し、第２の増幅器で増幅した第２の検出信号を示している。（ｅ）は、記録データ生成手段７から出力される第２のタイミング信号を示している。第２のタイミング信号は、記録波形のスペースパワー部でサンプルホールド可能なアクイジョン時間のある波形長さに対してのみ出力され、Ｌｏ区間がサンプル状態を示している。
【００２６】
クリップ回路５により、検出電圧が第２の増幅器で増幅される時に、検出電圧の回路飽和により、スペース信号への復帰時間の遅延時間発生を可能な限り抑えるために設けている。このようにクリップ回路５を設けることで、高倍速記録におけるスペース区間の消失を防ぎ、検出信号の波形ひずみを防ぐことができ、品質のよい検出信号が得られ、記録パワー精度を向上可能となる。
【００２７】
なお、再生時の検出をスペースパワーの検出と共用したが、別に検出回路を持たしても良い。これは再生パワーの必要とされる精度の差が大きい場合や、記録媒体の反射率によりＲＦ信号の品質のために再生パワーを上げるなどの場合、増幅率を変更する必要があるなどが想定される。そのような場合にも再生系の検出回路を別に設けることで回避される。
【００２８】
（実施の形態２）
図４は、本発明装置の実施のレーザ制御装置のブロック図であって、番号１から６、および１２は、実施の形態１で説明したものと同等であるので説明を省略する。
【００２９】
図において、１３は第１の増幅器から出力される記録波形のピークパワー部を検出する第１の検出信号と第２の増幅器から出力される記録波形のスペースパワー部を検出する第２の検出信号の出力を外部切り替え信号によって切り替えて出力するスイッチであり、１４は、外部切り替え信号に応じてスイッチ１３から出力される第１の検出信号あるいは第２の検出信号を第１のタイミング信号あるいは第２のタイミング信号により第４の検出信号を出力するサンプルホールド回路であり、１５は、サンプルホールド回路１４から出力される第４の検出信号をデジタル信号に変換する第２のＡＤ変換回路で、１６は、実施の形態１で説明した記録データ生成手段に外部切り替え信号を新たに追加し、切り替え信号により、第１の検出信号がスイッチにより出力される場合には、第１のタイミング信号でサンプルホールド１４に出力し、第２の検出信号がスイッチにより出力される場合には第２のタイミング信号でサンプルホールド１３に出力する第２の記録データ生成手段で、１６は、実施の形態１で説明したデジタル制御手段に、切り替え信号を第２の記録データ生成手段と、スイッチ１２に出力する第２のデジタル制御手段である。
【００３０】
（表２）は、第２のデジタル制御手段から出力される切り替え信号により、第２のＡＤ変換回路に出力される信号の関係を示している。
【００３１】
【表２】
2005302227.tif 000004
【００３２】
以下図５を用いて詳細に説明する。
【００３３】
図５は、スイッチ１２から出力される検出信号の動作を示している。同図（ｆ）は、第２のデジタル制御手段から出力される切り替え信号である。（ｇ）は、レーザの発光波形をしめし、（ｈ）はスイッチ手段１２から出力される検出信号で、（ｆ）の切り替え信号に同期して第１の検出信号と第２の検出信号が切り替わって出力される。（ｉ）は、第２の記録データ生成手段から切り替え信号によって第１のタイミング信号あるいは第２のタイミング信号が切り替わって出力されている様子を示している。
【００３４】
第２のデジタル制御手段は、切り替え信号により記録時のピークパワーとスペースパワーを取得することにより、レーザ１に必要な記録パワーを制御する。
以上のように、スイッチ１２と切り替え信号を設けることにより、実施形態１よりもサンプルホールド回路とＡＤ変換への信号時分割に出力することにより検出回路を減らすことができる。
【産業上の利用可能性】
【００３５】
本発明にかかるレーザ制御装置は、記録するために必要な記録波形のボトムパワー部の検出信号の感度を拡大し、かつクリップ回路によりボトムパワー取り込み区間を確保し、制御精度を上げることにより記録時のピークパワーとスペースパワーとの差が激しく、光通信などの多値パワー制御が必要な用途にも適用できる。
【図面の簡単な説明】
【００３６】
【図１】本発明の実施の形態１に於けるレーザ制御装置の実施方法を示したブロック図
【図２】本発明の実施の形態１に於ける記録波形とレーザのパワーと電流の関係を示した特性図
【図３】本発明の実施の形態１に於けるレーザ発光波形と検出信号およびサンプルホールドタイミング信号の関係を示したタイミングチャート
【図４】本発明の実施の形態２に於けるレーザ制御装置の実施方法を示したブロック図
【図５】本発明の実施の形態２に於けるレーザ発光波形と検出信号およびサンプルホールドタイミング信号の関係を示したタイミングチャート
【図６】従来のレーザ制御装置の実施方法を示したブロック図
【符号の説明】
【００３７】
１    レーザ
２    フォトダイオード素子
３    電流電圧変換回路
４    第１の増幅器
５    クリップ回路
６    第２の増幅器
７    記録データ生成手段
８    第１のサンプルホールド回路
９    第２のサンプルホールド回路
１０    ＡＤ変換回路
１１    デジタル信号制御手段
１２    レーザドライバ
１３    スイッチ
１４    第３のサンプルホールド回路
１５    第２の記録データ生成手段
１６    第２のデジタル信号制御手段
【図１】
2005302227.tif 000005
【図２】
2005302227.tif 000006
【図３】
2005302227.tif 000007
【図４】
2005302227.tif 000008
【図５】
2005302227.tif 000009
【図６】
2005302227.tif 000010